(57)【特許請求の範囲】
【請求項１】
デザインデータを構成する図形要素の種類別に初期状態の色属性を指定し色属性指定データを生成する主版設定処理過程を有する分色処理方法であって、前記主版設定処理過程は、罫図形に対して色属性を色テーブルにおいて分色のカラーコードと網％を設定することにより指定し色属性指定データを生成する罫図形色属性指定処理過程と、網図形に対して色属性を色テーブルにおいて分色のカラーコードと網％を設定することにより指定し色属性指定データを生成する網図形色属性指定処理過程と、テキストに対して色属性を色テーブルにおいて分色のカラーコードと網％を設定することにより指定し色属性指定データを生成するテキスト色属性指定処理過程と、を有することを特徴とする分色処理方法。
【請求項２】
指定された領域に含まれる図形要素に対し色属性を指定し色属性を指定データを生成する領域色指定処理過程を有する分色処理方法であって、前記指定された領域に前記図形要素が含まれる部分と含まれない部分とがある場合において、前記領域色指定処理過程は、前記指定された領域に含まれる部分と含まれない部分とに前記図形要素を分割するデータ分割処理過程と前記指定された領域に含まれる部分に対して色属性を色テーブルにおいて分色のカラーコードと網％を設定することにより変更し色属性指定データを生成する領域色属性変更処理過程と、を有することを特徴とする分色処理方法。
【請求項３】
指定された図形要素に対し色属性を指定し色属性指定データを生成する個別色指定処理過程を有する分色処理方法であって、前記個別色指定処理過程は、指定された図形要素に対し色属性を指定し色属性指定データを変更する個別色属性変更処理過程と、 指定された図形要素に対し色属性を色属性指定用ウインドウに表示し参照した上で、新たに色属性を指定し色属性指定データを変更する色属性参照変更処理過程と、 指定された図形要素に対し色属性を色テーブルにおいて分色のカラーコードと網％を設定することにより変更し色属性指定データを変更する色属性データ設定処理過程と、のいずれか選択された過程であることを特徴とする分色処理方法。
【請求項４】
デザインデータを構成する図形要素の種類別に初期状態の色属性を色テーブルにおいて分色のカラーコードと網％を設定することにより指定し色属性指定データを生成する主版設定処理過程と、指定された領域に含まれる図形要素に対し色属性を色テーブルにおいて分色のカラーコードと網％を設定することにより指定し色属性指定データを生成する領域色指定処理過程と、 指定され図形要素に対し色属性を色テーブルにおいて分色のカラーコードと網％を設定することにより指定し色属性指定データを生成する個別色指定処理過程と、からなることを特徴とする分色処理方法。
【請求項５】
分色処理手段を有する帳票類デザインシステムであって、前記分色処理手段は、主版設定処理手段と、領域色指定処理手段と、個別色指定処理手段と、を有し、前記主版設定処理手段はデザインデータを構成する図形要素の種類別に初期状態の色属性を色テーブルにおいて分色のカラーコードと網％を設定することにより指定し色属性指定データを生成し、前記領域色指定処理手段は指定された領域に含まれる図形要素に対し色属性を色テーブルにおいて分色のカラーコードと網％を設定することにより指定し色属性指定データを生成し、前記個別色指定処理手段は指定され図形要素に対し色属性を色テーブルにおいて分色のカラーコードと網％を設定することにより指定し色属性指定データを生成する、ことを特徴とする帳票類デザインシステム。
【発明の詳細な説明】
【０００１】
【産業上の利用分野】
本発明は、プリミティブ等の図形、テキスト、画像、およびその他の図形要素に対して色属性を指定し色属性を付与する方法に関する。特に印刷産業における製版データの元データである版下データ（図形データ、テキストデータ、画像データ等からなるデータ）に色属性を指定し色属性を付与する分色処理方法およびそれを適用した帳票類デザインシステムに関する。
【０００２】
【従来の技術】
プリミティブは例えば、矩形、円形、直線等の図形、地紋、絵柄、マーク、記号、文字列等のデザインの基礎部品であり、このプリミティブを組み合わせてデザインが行われる。プリミティブは必ずしも内容が簡単でなくてもよく、また種類が限定されるものでもなく、任意の使用頻度の高いものをプリミティブとすることができる。
プリミティブを用いたデザインはプリミティブの指定を行う過程と指定されたプリミティブに対する処理を行う過程の２つの過程が基本となっている。通常において頻繁に行われる処理にレイアウトがあるが、その他にも多くの処理が行われる。レイアウトされたプリミティブの図形要素に対して色属性を指定し色属性を付与する分色処理も、その１つである。
【０００３】
ところで印刷産業においては印刷工程で使用する印刷版を作成するためのデータである製版データが製版工程において作成される。この製版データは中間のデザイン段階を経て作成され、中間段階のデザインデータとして色属性の付与されていない版下データがある。版下データが作成されると、そのハードコピーが作成され、それに基づいて得意先のチェックや色分け等の細かい指示を受けることが行われる。
従来における分色処理は、このような版下データに色属性の付与を行って、多色刷りの、例えばＹ（Yellow），Ｍ（Magenta ），Ｃ（Cyan），Ｋ（Black ）の各色版に分色し、色版データを得る処理である。
【０００４】
【発明が解決しようとする課題】
しかしながらこのような従来の分色処理においては、図形データ、テキストデータ、画像データ等からなるデータの一つ々々の図形要素について色属性を付与しなければならず、その図形要素の数は１０００以上におよぶことも珍しくなく、作業の負荷が大きい。また、版下データにおいては１つである図形要素において、色版データにおいては複数の色に分色される場合が当然多くある。
図１１は１つである図形要素を分色する場合の従来の方法と本発明の方法を対比させて示す図である。図１１に示すように、従来の方法においては、まず図形要素を分色する単位に分色する数だけ分割し、得られた複数の図形要素の一つ々々に対して色属性の付与を行う。
ところが図形要素を分色する単位に分色する数だけ分割する過程は、分割指示を与え分割処理を実行する過程であり、新たに全てのデザインをやり直すのとほぼ同等の作業が必要であり、作業の負荷が大きい。
そこで本発明の目的は、分色を行う作業の負荷を大幅に改善することのできる分色処理方法および帳票類デザインシステムを提供することにある。
【０００５】
【課題を解決するための手段】
上記目的は下記の本発明によって達成される。即ち、本発明は、デザインデータを構成する図形要素の種類別に初期状態の色属性を色テーブルにおいて分色のカラーコードと網％を設定することにより指定し色属性指定データを生成する主版設定処理過程を有する分色処理方法であって、前記主版設定処理過程は、罫図形に対して色属性を色テーブルにおいて分色のカラーコードと網％を設定することにより指定し色属性指定データを生成する罫図形色属性指定処理過程と、網図形に対して色属性を色テーブルにおいて分色のカラーコードと網％を設定することにより指定し色属性指定データを生成する網図形色属性指定処理過程と、テキストに対して色属性を指定し色属性指定データを生成するテキスト色属性指定処理過程と、を有する分色処理方法、である。
【０００６】
また本発明は、指定された領域に含まれる図形要素に対し色属性を指定し色属性指定データを生成する領域色指定処理過程を有する分色処理方法であって、前記指定された領域に前記図形要素が含まれる部分と含まれない部分とがある場合において、前記領域色指定処理過程は、前記指定された領域に含まれる部分と含まれない部分とに前記図形要素を分割するデータ分割処理過程と、前記指定された領域に含まれる部分に対して色属性を色テーブルにおいて分色のカラーコードと網％を設定することにより変更し色属性指定データを生成する領域色属性変更処理過程と、を有する分色処理方法、である。
【０００７】
また本発明は、指定され図形要素に対し色属性を指定し色属性指定データを生成する個別色指定処理過程を有する分色処理方法であって、前記個別色指定処理過程は、指定された図形要素に対し色属性を指定し色属性指定データを変更する個別色属性変更処理過程と、指定された図形要素に対し色属性を色属性指定用ウインドウに表示し参照した上で、新たに色属性を指定し色属性指定データを変更する色属性参照変更処理過程と、指定された図形要素に対し色属性を色テーブルにおいて分色のカラーコードと網％を設定することにより変更し色属性指定データを変更する色属性データ設定処理過程と、のいずれか選択された過程である分色処理方法、である。
【０００８】
また本発明は、デザインデータを構成する図形要素の種類別に初期状態の色属性を色テーブルにおいて分色のカラーコードと網％を設定することにより指定し色属性指定データを生成する主版設定処理過程と、指定された領域に含まれる図形要素に対し色属性を色テーブルにおいて分色のカラーコードと網％を設定することにより指定し色属性指定データを生成する領域色指定処理過程と、指定された図形要素に対し色属性を色テーブルにおいて分色のカラーコードと網％を設定することにより指定し色属性指定データを生成する個別色指定処理過程と、からなる分色処理方法、である。
【０００９】
また本発明は、分色処理手段を有する帳票類デザインシステムであって、前記分色処理手段は、主版設定処理手段と、領域色指定処理手段と、個別色指定処理手段と、を有し、前記主版設定処理手段はデザインデータを構成する図形要素の種類別に初期状態の色属性を色テーブルにおいて分色のカラーコードと網％を設定することにより指定し色属性指定データを生成し、前記領域色指定処理手段は指定された領域に含まれる図形要素に対し色属性を色テーブルにおいて分色のカラーコードと網％を設定することにより指定し色属性指定データを生成し、前記個別色指定処理手段は指定され図形要素に対し色属性を色テーブルにおいて分色のカラーコードと網％を設定することにより指定し色属性指定データを生成する、帳票類デザインシステム、である。
【００１０】
【作用】
本発明の分色処理方法によれば、主版設定処理過程によりデザインデータを構成する図形要素の種類別に初期状態の色が指定され色属性指定データが生成される。さらに主版設定処理過程は、罫図形色属性指定処理過程と、網図形色属性指定処理過程と、テキスト色属性指定処理過程と、を有し、
罫図形色属性指定処理過程により罫図形に対して色属性が指定され色属性指定データが生成され、
網図形色属性指定処理過程により網図形に対して色属性が指定され色属性指定データが生成され、
テキスト色属性指定処理過程によりテキストに対して色属性が指定され色属性指定データが生成される。
【００１１】
また本発明の分色処理方法によれば、領域色指定処理過程により指定された領域に含まれる図形要素に対し色属性が指定され色属性指定データが生成される。さらに前記領域色指定処理過程は、データ分割処理過程と、領域色属性変更処理過程と、を有し、指定された領域に図形要素が含まれる部分と含まれない部分とがある場合において、
データ分割処理過程により指定された領域に含まれる部分と含まれない部分とに図形要素が分割され、
領域色属性変更処理過程により指定された領域に含まれる部分に対して色属性が変更され色属性指定データが生成される。
【００１２】
また本発明の分色処理方法によれば、個別色指定処理過程により指定された図形要素に対し色属性が指定された色属性指定データが生成される。さらに個別色指定処理過程は、個別色属性変更処理過程と、色属性参照変更処理過程と、色属性データ設定処理過程と、のいずれか選択される過程であり、
個別色指定処理過程により指定された図形要素に対し色属性が指定され色属性指定データが変更され、
色属性参照変更処理過程により指定された図形要素に対し色属性が色属性指定用ウインドウに表示され参照された上で、新たに色属性が指定され色属性指定データが変更され、
色属性データ設定処理過程により指定され図形要素に対し色属性が色テーブルのデータが設定されることにより変更され色属性指定データが変更される。
【００１３】
また本発明分色処理方法によれば、主版設定処理過程によりデザインデータを構成する図形要素の種類別に初期状態の色が指定され色属性指定データが生成され、
領域色指定処理過程により指定された領域に含まれる図形要素に対し色属性が指定された色属性指定データが生成され、
個別色指定処理過程により指定され図形要素に対し色属性が指定され色属性指定データが生成される。
このように、デザインデータの全体、領域、個々という階層構造により色属性の指定を行うことによって効率的に作業を行うことができる。
【００１４】
また本発明の帳票類デザインシステムによれば、分色処理手段を有する帳票類デザインシステムであって、前記分色処理手段は、主版設定処理手段と、領域色指定処理手段と、個別色指定処理手段と、を有し、
主版設定処理手段によりデザインデータを構成する図形要素の種類別に初期状態の色が指定され色属性指定データが生成され、
領域色指定処理手段により指定された領域に含まれる図形要素に対し色属性が指定され色属性指定データが生成され、
個別色指定処理手段により指定され図形要素に対し色属性が指定され色属性指定データが生成される。
【００１５】
【実施例】
以下、本発明の分色処理方法および帳票類デザインシステムについて好適な実施例により説明する。
図１は本発明の分色処理方法を実施する装置の構成を示す図である。図１において、１の実線の枠で囲まれた部分は本発明の分色処理方法を実施する分色処理装置、２はイーサーネット等のＬＡＮ（Local Area Network）、３は基礎部品（プリミティブ）データ、デザインデータ、その他のデータを保存するとともにそれらのデータをＬＡＮを通じて分色処理装置との間で相互に転送するデータストアシステム、４はキーボード、マウス等の入力装置、５はディスプレイ、プリンタ等の出力手段である。
【００１６】
図１において、分色処理装置１は更に細部から構成されており、６は記憶手段、７は演算手段であり、パーソナルコンピュータ、エンジニアリングワークステーション等のコンピュータの本体部分である。
そして記憶手段６において、８はデータストアシステム３から読込んだ、あるいはもともと記憶されているデザインデータ、９はデザインデータ８に分色処理を行って得る分色済デザインデータである。
さらに演算手段７において、１０はデザインデータを構成する図形要素の種類別に初期状態の色を指定し色属性データを生成する主版設定処理ルーチン、１１は指定された領域に含まれる図形要素に対して色属性を指定し色属性指定データを生成する領域色指定処理ルーチン、１２は指定された図形要素に対し色属性を指定し色属性指定データを生成する個別色指定処理ルーチンである。
【００１７】
図２は分色処理処理の流れを示すメインのフロー図である。詳細は後述するとし、まず図２における処理について簡単に説明する。版下データ等のデザインデータ８が表示されデザインを行う主画面において“分色”と表示されている部分にマウスの指示ポイントを置いてマウスボタンをクリックし、分色メニューを開き出力装置５のディスプレイに表示する（Ｓ１）。メニューは“主版設定”、“領域指定”、“個別分色”の３つがあり、メニュー表示にマウスの指示ポイントを置いてマウスボタンをクリックしそれらの１つを選択する（Ｓ２）。
“主版設定”が選択された場合には主版設定処理ルーチンが起動し主版設定処理が行われ（Ｓ３）、“領域指定”が選択された場合には領域指定処理ルーチンが起動し領域指定処理が行われ（Ｓ４）、“個別分色”が選択された場合には個別分色処理ルーチンが起動し個別分色処理が行われる（Ｓ５）。
その処理の最後に分色処理処理を終了するか継続するかが選択され（Ｓ６）、終了選択の場合は終了し、継続選択の場合は対象図形選択（Ｓ１）にもどる。
【００１８】
次に各処理ルーチンについて個別に詳細を説明する。まず主版設定処理（図２のＳ３）について説明する。図３は主版設定処理ルーチン１０における処理過程を示すフロー図である。図３において、まず主版設定のデータが効力をおよぼすデザインデータ種類を指定する。通常、複数のデザイン工程またはシステムでデザインデータが作成されるが、特定のデザイン工程またはシステムのデザインデータを指定して、そのデザインデータにのみ主版設定が行われるようにする（Ｓ１０１）。
次に罫図形（Frame ）に関して、主版となる色属性を設定する。図４は色属性を設定する色属性設定画面の一例を示す図である。この画面はオペレータとシステムの間でデータの入出力を対話的に行うダイアログ画面である。この画面において以下の項目の指定を行う（Ｓ１０２）。
（１）特色指定の場合
▲１▼カラーコード
▲２▼網％
（２）プロセスカラーの場合
▲１▼Ｙ，Ｍ，Ｃ，Ｋの網％
【００１９】
なお罫図形（Frame ）として扱うデータはたとえば以下のとおりである。
直線、等分（縦，横）、矩形のFrame 、円のFrame 、楕円のFrame 、自由曲線のFrame 、連続線のFrame 、トリミング矩形のFrame あり、トリミング円のFrame あり、トリミング楕円のFrame あり、トリミング自由曲線のFrame あり、トリミング連続線のFrame あり、トリミングテキストのFrame あり、等。
【００２０】
また網図形（Fill）に関して、主版となる色属性を設定する。この設定は罫図形（Frame ）の場合と同様に色属性設定画面において行う（Ｓ１０３）。
網図形（Fill）として扱うデータはたとえば以下のとおりである。
矩形のFill、円のFill、楕円のFill、自由曲線のFill、連続線のFill、部品画像、等。
またテキストに関して、主版となる色属性を設定する。この設定は罫図形（Frame ）の場合と同様に色属性設定画面において行う（Ｓ１０４）。
テキストとして扱うデータは、テキストである。
次に、Ｓ１０２〜Ｓ１０４の処理において指定された色属性に基づいて、該当データの色属性を変更し、指定された色属性をもとに再表示する（Ｓ１０５）。
【００２１】
次に領域指定処理（図２のＳ４）について説明する。図５は領域指定処理ルーチン１１における処理過程を示すフロー図である。図５において、まず後に指定する領域が影響を及ぼす図形要素を予め限定する対象図形指定処理が行われる。図形要素を指定するためのウインドウを表示し、領域指定のデータが効力をおよぼす図形要素を指定する。指定可能な図形要素は罫図形、網図形、テキスト図形等であり同時に複数個の指定を行うことができる（Ｓ２０１）。
次に、色属性の変更（通常は主版設定処理が先行して色属性は設定済みである）を行いたい箇所に対し、領域を囲む要領で領域指定処理が行われる。色属性を変更したい箇所を矩形領域として指定する。指定された領域内に、図形の一部でも包含されるような場合には、その図形は以降の処理対象となる（Ｓ２０２）。
【００２２】
次に指定した領域内に包含される図形要素に対し、色属性を指定する色属性指定処理が行われる。前述の領域指定処理において領域指定された内部に包含される図形要素に対して色属性を与える。色属性を指定するに当たっては、色指定用のウインドウを表示する。色指定用のウインドウ上において、以下の項目の指定を行う。
（１）特色指定の場合（Ｓ２０３）
▲１▼カラーコード
▲２▼網％
（２）プロセスカラーの場合
▲１▼Ｙ，Ｍ，Ｃ，Ｋの網％
【００２３】
次に処理する図形データの有無がチェックされる。全ての図形データに対して処理は行われ、処理する図形データがあれば続く処理（包含チェック処理）が行われ処理する図形データが無くなれば領域指定処理を終了する（Ｓ２０４）。
次に指定された領域内に、各図形が包含されているかチェックする包含チェック処理が行われる。指定された領域内に、各図形が包含されるかをチェックする。図６は指定領域と図形の包含関係を示す説明図である。図６（Ａ）と図６（Ｂ）は１セグメントとして定義される図形が完全に指定領域内に存在する完全包含の状態を示す図である。図６（Ａ）は指定領域内に図形が含まれる場合を示し、図６（Ｂ）は指定領域上を含め領域内に図形が含まれる場合を示している。また図６（Ｃ）と図６（Ｄ）は１セグメントとして定義される図形の一部が指定領域内に存在する一部包含の状態を示す図である。図６（Ｃ）と図６（Ｄ）において斜線部が該当部分である。
【００２４】
次に、チェックした結果に応じて処理方法を以下のように変える（Ｓ２０６）。
（１）完全包含する場合・・・処理をＳ２０７の色属性変更処理へ
（２）一部包含する場合・・・処理をＳ２０８のデータ分割処理へ
（３）包含されない場合・・・処理をＳ２０４の図形データ有無チェックへ
【００２５】
前記の色属性変更処理においては該当する図形の色属性を、指定された色属性に変更し、その色属性にて再表示を行い、Ｓ２０４へ処理を移す（Ｓ２０７）。
前記のデータ分割処理においては、対象となる図形を指定された領域で図形要素単位に分割する（図１１参照）（Ｓ２０８）。さらに分割した図形要素の内、指定領域内に包含される図形要素について色属性を指定された色属性に変更し、その色属性で再表示を行い、Ｓ２０４へ処理を移す（Ｓ２０９）。
【００２６】
次に個別分色処理（図２のＳ５）について説明する。図７は個別分色処理ルーチン１２における処理過程を示すフロー図である。図７において、まず色属性だけを簡易的に変更する色属性指定用のウインドウを表示するウインドウ表示処理が行われる（Ｓ３０１）。このウインドウに表示される以下の処理メニューまたは図形の内からマウス入力により指定が行われ（Ｓ３０２）、その指定により下記（１）〜（３）のいずれかの処理が行われる（Ｓ３０３）。
（１）終了メニュー指定の場合・・・個別分色処理を終了する。
（２）ズームメニュー指定の場合・・・ズーム処理が行われ、処理後Ｓ３０２に戻る。
（３）図形指定の場合・・・Ｓ３０４編集状態処理へ
【００２７】
次に図形選択された図形を編集状態（指定状態とも呼ぶ）にする編集処理が行われる。編集状態の図形は、ノブ（図形を囲む矩形の４つの角、等に表示され、編集状態の図形であることを示すマーク）を使用した移動、変形等の編集機能は行えないようにロックされる（Ｓ３０４）。
次に以下の処理メニューまたは図形の内からマウス入力により指定が行われ（Ｓ３０５）、その指定により下記（１）〜（３）のいずれかの処理が行われる（Ｓ３０６）。
（１）色属性変更メニュー指定の場合は次の処理を行う（Ｓ３０７）。
▲１▼所定の色属性に変更する。
▲２▼メモリ上の色テーブルの内容を変更する。
▲３▼処理をＳ３０５に戻す。
【００２８】
（２）色属性参照メニュー指定の場合は次の処理を行う（Ｓ３０８、Ｓ３０９）。
▲１▼画面に表示されているカーソル形状を虫眼鏡の形状に変更表示する。
▲２▼指定された図形データの色成分を色属性指定ウインドウにセットする。
▲３▼メモリ上の色テーブルの内容を変更する。
▲４▼処理をＳ３０５に戻す。
（３）データセットメニュー指定の場合は次の処理を行う（Ｓ３１０、Ｓ３１１）。
▲１▼メモリ上の色テーブルの内容を図形データとしてセットする。
▲２▼指定された色属性で再表示する。
▲３▼処理をＳ３０２に戻す。
【００２９】
次に上述の分色処理方法を帳票類デザインシステムに適用した本発明の帳票類デザインシステムについて説明する。
なおここでは帳票類とは、伝票、複写伝票、ＯＣＲ帳票、通帳、申込票、通知票、等の所定のデータを記入するための項目（記入欄）が設けられているものを指す。
図８は本発明の帳票類デザインシステムとその周辺装置を含み、メイン事業所と遠隔事業所とを結ぶ総合システムの構成の一例を示す図である。図８において、２１ａ，２１ｂは分色処理処理機能を有する本発明の帳票類デザインシステムと入出力装置からなるＢＦＤ（Business Form Design）ターミナル、２２はＬＡＮのイーサネット、２３はＢＦＤデータ、各種画像データ（カラー画像、部品画像等）のデータを保管・管理するデータストアシステム、２４は原稿画像等の入力を行う製版用スキャナー、２５は写真フィルムに画像データを出力するフィルム出力機、２６はＢＦＤデータのデータ形式を変換した画像データを得るＢＦＤ変換サーバー、２７はカラー画像データを普通紙上にカラープリントアウトするカンプ出力機、２８は印刷用の版下を作成する版下作成システムであるＦＣＳ（Form Composing System ）、２９は遠隔地間のネットワークを接続する装置のルータである。
【００３０】
図９は本発明の帳票類デザインシステム２１（ａ，ｂ）のメインルーチンの処理の流れを示すフロー図である。図９において、帳票類デザインシステム２１を立ち上げるとディスプレイにメインメニューが表示される（Ｓ２１）。メインメニューには“ユーティリティ”、“帳票作成”、“出力”、“終了”の４つのメニューがあって、それらの１つを選択することによって、それらの処理に進む（Ｓ２２）。“ユーティリティ”が選択されるとユーティリティ処理ルーチン（Ｓ２３）が起動され、“帳票作成”が選択されると帳票作成処理ルーチン（Ｓ２４）が起動され、“出力”が選択されると出力処理ルーチン（Ｓ２５）が起動され、“終了”が選択されると帳票類デザインシステムが終了する。“終了”以外の処理ルーチンが終了した場合にはメインルーチンのメインメニュー表示（Ｓ２１）に戻る。
【００３１】
ユーティリティ処理ルーチン（Ｓ２３）においては、さらにサブメニューがあり、“部品画像管理”、“カラー画像管理”、“ＢＦＤデータ管理”、“帳票部品データ管理”、“サンプル帳票データ管理”、“ＷＳ（Workstation ）データの取り込み処理”、が行われる。
“部品画像管理”においては、ユーザ単位でのロゴデータの管理、約物等の管理処理を行う。また部品画像（プリミティブ）用のカートリッジＭＴのイニシャライズ、部品画像データのセーブ、部品画像データのロードの各処理を行う。
“カラー画像管理”においては、写真画像の管理処理を行う。またカラー画像用のカートリッジＭＴのイニシャライズ、カラー画像データのセーブ、カラー画像データのロードの各処理を行う。
【００３２】
“ＢＦＤデータ管理”においては、ＢＦＤで作成したデータの管理処理を行う。またＢＦＤデータ用のカートリッジＭＴのイニシャライズ、ＢＦＤデータのセーブ、ＢＦＤデータのロードの各処理を行う。
“帳票部品データ管理”においては、帳票部品（必要箇所のみ分割して部品格納している帳票）の管理処理を行う。また帳票部品データ用のカートリッジＭＴのイニシャライズ、帳票部品データのセーブ、帳票部品データのロードの各処理を行う。
“サンプル帳票データ管理”においては、サンプル帳票（プレゼンテーション帳票）の管理処理を行う。またサンプル帳票データ用のカートリッジＭＴのイニシャライズ、サンプル帳票データのセーブ、サンプル帳票データのロードの各処理を行う。
“ＷＳ（Workstasion ）データの取り込み処理”においては、ＷＳを経由してスキャナーから取込んだ画像データの余白除去、データ登録を行う処理を行う。
【００３３】
出力処理ルーチン（Ｓ２５）においては、カンプ出力機２７（図８参照）に全色合成出力、またはＣ（Cyan），Ｍ（Mgenta），Ｙ（Yellow），Ｂｋ（Black ），特色１〜特色２４までの分色出力を行う“カンプ出力処理”、フィルム出力機２５（図８参照）にＣ，Ｍ，Ｙ，Ｂｋ，特色１〜特色２４までの分色ポジフィルム、または分色ネガフィルムを出力する“フィルム出力処理”を行う。またそれらの出力を行う際にレイアウトして出力する“レイアウト出力処理”を行う。
【００３４】
“レイアウト出力処理”においては、さらにサブメニューがあり、“レイアウト”、“オフセット”、“回転出力”が行われる。
“レイアウト”においては、さらにサブメニューがあり、“自動”、“位置指定”が行われる。
“自動”は、帳票をマルチ出力（配列して複数の帳票を出力）する際、直前までの帳票のレイアウトに対し、次に配置する帳票を右側に配置するのか、下側に配置するのかを指定することにより自動的に配置を完了する処理を行う。
“位置指定”は、差し替え出力、および合成出力等を行う場合に指定する処理であり、指定した帳票の左上を基準とした座標値入力によりレイアウト指定を行う。すなわち、▲１▼位置指定サブメニューが指定された時点で、対象となる帳票をマウスにて指定する。▲２▼座標入力ウインドウにて指定された帳票の左上を基準とした相対座標値を入力する。
【００３５】
“オフセット”においては、さらにサブメニューがあり、“オフセット有り”、“オフセット無し”が行われる。デフォルトは“オフセット有り”である。
“オフセット有り”は、フィルムの外枠サイズに対して、外枠から内側に所定のオフセット距離を有する仕上がりサイズが与えられる。
“オフセット無し”は、仕上がりサイズとフィルムサイズが一致する状態であり、仕上がりサイズ外に存在するトンボは除去される。
“回転出力”においては、さらにサブメニューがあり、“正向き出力”、“９０度回転出力”、“１８０度回転出力”、“２７０度回転出力”、が行われる。デフォルトは“正向き出力”である。
“正向き出力”は、その名称のとおり帳票が正向きに出力される。他はその名称のとおりの角度だけ時計回りに回転されて出力される。
【００３６】
次にメインルーチンにおいて帳票作成処理ルーチンが起動された場合について説明する。図１０は帳票作成処理ルーチンにおける処理の流れを示すフロー図である。
図１０において帳票作成処理ルーチン（図９のＳ２４）が起動されると、この処理ルーチンにおけるサブメニューが表示される（Ｓ３１）。サブメニューは、“ファイル”、“デザイン”、“表示”、“分色”、“ユーティリティ”、“レイアウト”、“編集”、“部品”からなり、これらのサブメニューから１つが選択されると、選択されたメニューの処理ルーチンが起動される（Ｓ３２）。
【００３７】
ファイル処理ルーチン（Ｓ３３）は、さらにサブメニュー“読み込み”、“登録”、“合成”、“属性”からなり、ＢＦＤファイルの読み込みまたは登録処理を行う。“読み込み”はＢＦＤファイルの読み込みを行い、“登録”はＢＦＤファイルの登録を行い、“合成”は同一オーダーの各枚目を合成し一つの枚目に合成を行い、“属性”は各枚目の属性（サイズ等を）の指定を行う。
デザイン処理ルーチン（Ｓ３４）は、さらにサブメニュー“作画ツール”、“テキスト”、“カラー画像”、“部品画像”、“トンボ”からなり、帳票をデザインするための各種ツールを提供する。“作画ツール”は直線、ボックス、円、楕円、連続線、自由曲線、等分割線、閉領域スクリーン（網版作成）、補助線の作成を行い、“テキスト”は日本語、欧文の文章作成を行い、“カラー画像”はカラー画像の貼り込みを任意の形状でトリミングして行い、“部品画像”はロゴ画像の貼り込みを任意の形状でトリミングして行い、“トンボ”は印刷管理用のトンボ（位置合わせマーク）を貼り込みを行うツールである。
なおプリミティブ（すなわち部品）もここで作成することができ、作成された図形、テキスト等のデータを後述の部品処理ルーチン（Ｓ４０）においてプリミティブとして登録することで、プリミティブとされる。
【００３８】
表示処理ルーチン（Ｓ３５）は、さらにサブメニュー“チャート設定”、“画面ズーム”、“補助線表示”、“画面切り替え”、“画面スクロール”からなり、ディスプレイ表示に関する各種ツールを提供する。“チャート設定”は指定のチャートをディスプレーに表示し、“画面ズーム”は表示されている画面を拡大表示し、“補助線表示”は補助線を表示し、“画面切り替え”はフォーム台紙（登録データ作成画面）、作業台紙（ワーク画面）の２つの画面を切り替え、“画面スクロール”は表示する画面をスクローする処理を行う。
分色処理ルーチン（Ｓ３６）は、さらにサブメニュー“主版設定”、“フィルター分色”、“個別分色”、“グラデーション処理”からなり、ＢＦＤデータ、およびＦＣＳ版下データの分色作業を行う処理を行う。“主版設定”は罫線、網版、文字の各データに対し主に使用する色属性を一括して設定し、“フィルター分色”は任意形状により、その中に含まれる罫線、網版、文字のそれぞれに対し色属性を指定し、“個別分色”は個々のデータに対し、簡易的に色属性のみを指定する処理を行う。また、“グラデーション処理”は対象図形の角度とは独立してグラデーション自体に角度を持たせ、対象図形にグラデーションを施す処理を行う。
この分色処理ルーチン（Ｓ３６）における“主版設定”、“フィルター分色”、“個別分色”は本発明を構成する部分である。
【００３９】
ユーティリティ処理ルーチン（Ｓ３７）は、さらにサブメニュー“カラーコンバージョン”、“スクリーン設定”、“部品画像ＤＢ検索”、“カラー画像ＤＢ検索”からなり、帳票作成モードにおけるデザイン補助処理を行う。“カラーコンバージョン”は特色にて作成した帳票データを一括してプロセスカラーに変更し、“スクリーン設定”は使用する出力機の解像度、線数、角度を設定し、“部品画像ＤＢ検索”は得意先ロゴ等をデータベースより検索し、“カラー画像ＤＢ検索”はカラー画像（写真等）をデータベースより検索する処理を行う。
【００４０】
レイアウト処理ルーチン（Ｓ３８）は、さらにサブメニュー“補助線移動”、“垂直線基準移動”、“水平線基準移動”、“線対象コピー”、“コピー鏡像”、“回転”、“リピート”からなり、デザインレイアウトに関する処理を行う。“補助線移動”は入力した補助線に対し指定図形を揃え、“垂直線基準移動”は指定した図形、テキスト等を垂直基準線に揃え、“水平線基準移動”は指定した図形、テキスト等を水平基準線に揃える処理を行う。
また“線対象コピー”は指定した図形を基準線（垂直、水平）を基準とし対象にコピーし、“コピー鏡像”は指定した図形を基準線（垂直、水平）を基準とし鏡像イメージでコピーする処理を行う。また“回転”は指定した図形を任意角度に回転し、“リピート”は地紋等を主に作成する処理を行う。
この“リピート”処理においては単純な並べ処理とともに、拡大または縮小を行いながらの並べ処理、回転を徐々に行いながらの並べ処理、網％を徐々に変化させながら図形を並べる処理を行う。また、処理後は編集画面でのトリミング処理により任意の形状に切り取ることができる。
【００４１】
編集処理ルーチン（Ｓ３９）は、サブメニューとして図形の“移動”、“拡大または縮小”、“回転”、“カット”、“コピー”、“パック”を有し、図形編集に関する処理を行う。“パック”は複数図形をグループ化し、各種操作の対象とする処理である。
部品処理ルーチン（Ｓ４０）は、さらにサブメニュー“ＢＦＤデータ”、“ＦＣＳデータ”、“サンプル部品”、“帳票部品”からなり、各種部品の読み込みまたは登録処理を行う。プリミティブ（すなわち部品）はこの部品処理ルーチンにおいて読み込みまたは登録処理が行われる。“ＢＦＤデータ”はＢＦＤデータの読み込みを行い、“ＦＣＳデータ”はＦＣＳにて作成された版下データの読み込みを行い、“サンプル部品”はプレゼンテーション帳票の登録を行い、“帳票部品”は帳票中の必要箇所のみ切り取り、部品として登録を行うとともに登録されている帳票部品を読み込み現在編集中のデータと合成する処理を行う。
【００４２】
【発明の効果】
以上の説明のように、本発明によれば、分色を行う作業の負荷を大幅に改善することのできる分色処理方法および帳票類デザインシステムが提供される。
【図面の簡単な説明】
【図１】本発明の分色処理方法を実施する装置の構成を示す図である。
【図２】分色処理処理の流れを示すフロー図である。
【図３】主版設定処理ルーチンにおける処理過程を示すフロー図である。
【図４】色属性を設定する色属性設定画面の一例を示す図である。
【図５】領域指定処理ルーチンにおける処理過程を示すフロー図である。
【図６】指定領域と図形の包含関係を示す説明図である。
【図７】個別分色処理ルーチンにおける処理過程を示すフロー図である。
【図８】本発明の帳票類デザインシステムとその周辺装置を含み、メイン事業所と遠隔事業所とを結ぶ総合システムの構成の一例を示す図である。
【図９】本発明の帳票類デザインシステムのメインルーチンの処理の流れを示すフロー図である。
【図１０】帳票作成処理ルーチンにおける処理の流れを示すフロー図である。
【図１１】１つである図形要素を分色する場合の従来の方法と本発明の方法を対比させて示す図である。
【符号の説明】
１  分色処理装置
２  ＬＡＮ
３，２３  データストアシステム
４  入力装置
５  出力装置
６  記憶手段
７  演算手段
８  デザインデータ
９  分色済デザインデータ
１０  主版設定処理ルーチン
１１  領域指定処理ルーチン
１２  個別分色処理ルーチン
２１ａ，２１ｂ  ＢＦＤターミナル
２２  イーサネット
２４  製版用スキャナー
２５  フィルム出力機
２６  ＢＦＤ変換サーバー
２７  カンプ出力機
２８  ＦＣＳ
２９  ルータ
【図１】
0003701338.tif 000002
【図２】
0003701338.tif 000003
【図３】
0003701338.tif 000004
【図４】
0003701338.tif 000005
【図５】
0003701338.tif 000006
【図６】
0003701338.tif 000007
【図７】
0003701338.tif 000008
【図８】
0003701338.tif 000009
【図９】
0003701338.tif 000010
【図１０】
0003701338.tif 000011
【図１１】
0003701338.tif 000012